(57)【要約】【課題】  スピーカーの正極側接続線と負極側接続線をそれぞれの接続端子に片手で簡単に接続でき、迅速で確実に接続できて、スプリングを必要とせずにコストダウンを図れる。【解決手段】  スピーカーの正極側接続線５と負極側接続線６を筐体１内に設けた各接続端子３の前側の左右一対の前部開口２に差し込み前部開口内で各線を左右一対の接続端子に取り付け、各接続端子は左右一対の前部開口内の左側に位置させ接続端子は右向きに開く横向き略Ｖ字状に開設して奥側に向けて拡がり、接続端子の略Ｖ字状の開設部３ａに先端を半田付けしたスピーカーの正極側接続線５と負極側接続線６との露出線６ａを奥側に向けて差し込み、左側に引っ張り正極側接続線と負極側接続線の露出線が接続端子の略Ｖ字状の開設部の左奥側幅狭部分に入り込み露出線の半田付け部分５ｄ、６ｄが後奥側の開設部の縁部に当接して正極側接続線と負極側接続線とを各接続端子に接続する。  【選択図】  図２
2005135675.tif 000002
【特許請求の範囲】
【請求項１】
スピーカーの正極側接続線と負極側接続線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は左右一対の前部開口内の左側にそれぞれ位置するように配置され、これらの接続端子は右端に向けて開く横向き略Ｖ字状に開設され且つ奥側になるにつれて拡がるように設けられ、これらの接続端子の略Ｖ字状の開設部に、先端が半田付けされたスピーカーの正極側接続線の露出線と負極側接続線の露出線とが奥側に向けて差し込まれ、斜め左方に引っ張られることによって、前記正極側接続線と負極側接続線の露出線が前記接続端子の略Ｖ字状の開設部の左奥側幅狭部分に入り込まれて前記露出線の半田付け部分が後奥側の開設部の縁部に当接されて、前記正極側接続線と負極側接続線とが前記各接続端子に接続されるように構成したことを特徴とするスピーカーの接続線の接続構造。
【請求項２】
スピーカーの正極側接続線と負極側接続線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は左右一対の前部開口内の一方側にそれぞれ位置するように配置され、これらの接続端子は他端に向けて開く横向き略Ｖ字状に開設され、これらの接続端子の略Ｖ字状の開設部に、先端が半田付けされたスピーカーの正極側接続線の露出線と負極側接続線の露出線とが奥側に向けて差し込まれ、斜め他方側に引っ張られることによって、前記正極側接続線と負極側接続線の露出線が前記接続端子の略Ｖ字状の開設部の奥側幅狭部分に入り込まれて前記半田付け部分が後奥側の開設部の縁部に当接されて、前記正極側接続線と負極側接続線とが前記各接続端子に接続されるように構成したことを特徴とするスピーカーの接続線の接続構造。
【請求項３】
前記前部開口には、その一方側の縁部に開口に沿ってコード固定用片が突設されていて、このコード固定用片には前記正極側接続線と負極側接続線とのコード部分がそれぞれ入り込む切り欠きが穿設されていて、前記正極側接続線と負極側接続線の各コード部分の結び部が前記開口内で前記コード固定用片に当接されて線全体が抜け止め固定されるようにした請求項２に記載のスピーカーの接続線の接続構造。
【請求項４】
前記前部開口の開口縁の近傍箇所に、前記接続端子に取りつけられた正極側接続線と負極側接続線のコード部分が巻き付けられる略Ｌ字形の巻付け用リブが突設されている請求項２に記載のスピーカーの接続線の接続構造。
【請求項５】
前記各接続端子の略Ｖ字状の開設部の下側面に内側から外側に向けて複数条の凹凸条部が設けられている請求項２に記載のスピーカーの接続線の接続構造。
【発明の詳細な説明】
【技術分野】
【０００１】
本発明は、スピーカーの正極側接続線と負極側接続線とを、リアパネルに設けられた左右一対の接続端子の前側に設けられた左右一対の前部開口にそれぞれ差し込んだ後に、前部開口内でこれらの線を左右一対の接続端子に取り付けるようにしたスピーカーの接続線の接続構造に関するものである。
【背景技術】
【０００２】
従来、この種のスピーカー線の接続構造は、例えば、図７に示すように、リアパネル１０１に設けられた左右一対の小筐体状の取付部１０２、１０３のそれぞれの前部開口１０２ａ、１０３ａにスピーカー１０４のスピーカー線１０５とアース線１０６を差し込むときに、この取付部１０２、１０３のそれぞれ左右端部に設けられた摘まみ１０６、１０７をスプリング１０８、１０８の付勢力に抗して一つずつ後側に押して、前部開口１０２ａ、１０３ａの開口度合いを拡げてから、前部開口１０２ａ、１０３ａにスピーカー線１０５とアース線１０６を１本ずつ差し込んだ後に、この摘まみ１０３、１０７を一つずつ離すと、摘まみがスプリング１０８、１０８の付勢力で前側に移動して前部開口１０２ａ、１０３ａの開口度合いを狭めてこれらのスピーカー線１０５とアース線１０６を１本ずつ挟持して取り付けるようにしていた。
【０００３】
ところが、摘まみ１０６、１０７は左右一対設けられているので、これらの摘まみ１０６、１０７を一つずつ押して前部開口１０２ａ、１０３ａの度合いを一つずつ拡げて、スピーカー線１０５とアース線１０６を１本ずつ挿入しなくてはならいので、摘まみ１０６、１０７を押す必要があり、この押す際に指が痛くなり、手間を要するという問題があった。
また、前部開口１０２ａ、１０３ａを開くときに、摘まみ１０６、１０７を押した状態でスピーカー線１０５とアース線１０６を挿入しなくてならないので、挿入しにくいという問題があった。更に、スプリング１０８、１０８を必要としていたので、部品点数が多くてコスト高になるという問題があった。
【０００４】
第１の従来技術を図８、図９（ａ）（ｂ）に示す。圧接部２１２の左右の側壁２２２から平面Ｖ字形をなる一対の圧接刃２２０が叩き出され、両突き合わせ端縁の間に圧接溝２２４が形成される。この圧接溝２２４は、被覆電線Ｗの芯線Ｗａの直径よりも小さい幅を持った接触溝２２５の上方に、上開きとなったガイド溝２２６が連設されており、接触溝２２５の側縁を構成する接触縁２２８の上端寄りの位置に、抜け止め凹部２３０が対向して形成される。被覆電線Ｗが圧接溝２２４に押し込まれると、接触溝２２５とガイド溝２２６の境の部分２２７で被覆Ｗｂに切れ目が入れられて、被覆Ｗｂが捲り上げられつつ芯線Ｗａが露出され、剥き出しとなった芯線Ｗａが接触溝２２５内に押し込まれて両接触縁２２８で挟持されることにより接触が取られる。このとき、芯線Ｗａの一部が抜け止め凹部２３０に食い込んだ状態となるものである。（例えば、特許文献１参照）。
ところが、これにおいては、被覆電線Ｗの芯線Ｗａを圧接刃２２０に一度取りつけたら抜けない構造になっている。また、圧接刃２２０は平たい板材を用いたものであった。
【０００５】
第２の従来技術を図１０（ａ）（ｂ）に示す。漸次溝の浅くなった歯型が形成された一対の挟持片３１７ａ、３１７ｂを有する端子３１７を端子板３１２に取付けてなるものである。（例えば、特許文献２参照）。
ところが、これにおいては、挟持片３１７ａ、３１７ｂの歯型の部分に引出導線３１３を嵌め入れる際に、この引出導線３１３の両側を持って挟持片３１７ａ、３１７ｂの歯型の間に押し込まなくてはならないものであった。
【０００６】
第３の従来技術を図１１、図１２（ａ）（ｂ）に示す。端子板取付部４２１及び取付部を伸長したリード線接続部４２２よりなる端子金具であって、リード線接続部４２２の付根近傍にリード線接続部の伸長方向に沿った錦糸配線置用溝４２４が、溝４２４の前端縁に溝方向に沿った錦糸線嵌挿用切欠部４２５が、溝４２４の後端部に錦糸綿嵌挿用切欠部４２６ａを有する折曲片４２６がそれぞれ形成されているものである。（例えば、特許文献３参照）。
ところが、これにおいては、半田４０４で錦糸線４０３を固定しなくてはならないものであった。
【０００７】
【特許文献１】特開２００２−４２９１２号公報
【特許文献２】実開昭５８−６０８６９号公報
【特許文献３】実開昭６３−３８２６９号公報
【発明の開示】
【発明が解決しようとする課題】
【０００８】
本発明は上記した従来の問題を解消し、スピーカーの正極側接続線と負極側接続線をそれぞれの接続端子に片手で簡単に接続することができ、迅速で確実に接続することができて、且つスプリングを必要とせずにコストダウンを図ることができるスピーカーの接続線の接続構造を提供することを目的としている。
【課題を解決するための手段】
【０００９】
本発明は、上記課題を解決するために提案されたものであって、請求項１に記載の発明は、スピーカーの正極側接続線と負極側接続線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は左右一対の前部開口内の左側にそれぞれ位置するように配置され、これらの接続端子は右端に向けて開く横向き略Ｖ字状に開設され且つ奥側になるにつれて拡がるように設けられ、これらの接続端子の略Ｖ字状の開設部に、先端が半田付けされたスピーカーの正極側接続線の露出線と負極側接続線の露出線とが奥側に向けて差し込まれ、斜め左方に引っ張られることによって、前記正極側接続線と負極側接続線の露出線が前記接続端子の略Ｖ字状の開設部の左奥側幅狭部分に入り込まれて前記露出線の半田付け部分が後奥側の開設部の縁部に当接されて、前記正極側接続線と負極側接続線とが前記各接続端子に接続されるように構成したことを特徴としている。
【００１０】
請求項２に記載の発明は、スピーカーの正極側接続線と負極側接続線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は左右一対の前部開口内の一方側にそれぞれ位置するように配置され、これらの接続端子は他端に向けて開く横向き略Ｖ字状に開設され、これらの接続端子の略Ｖ字状の開設部に、先端が半田付けされたスピーカーの正極側接続線の露出線と負極側接続線の露出線とが奥側に向けて差し込まれ、斜め他方側に引っ張られることによって、前記正極側接続線と負極側接続線の露出線が前記接続端子の略Ｖ字状の開設部の奥側幅狭部分に入り込まれて前記半田付け部分が後奥側の開設部の縁部に当接されて、前記正極側接続線と負極側接続線とが前記各接続端子に接続されるように構成したことを特徴としている。
【００１１】
請求項３に記載の発明は、前記前部開口には、その一方側の縁部に開口に沿ってコード固定用片が突設されていて、このコード固定用片には前記正極側接続線と負極側接続線とのコード部分がそれぞれ入り込む切り欠きが穿設されていて、前記正極側接続線と負極側接続線の各コード部分の結び部が前記開口内で前記コード固定用片に当接されて線全体が抜け止め固定されるようにしている。
【００１２】
請求項４に記載の発明は、前記前部開口の開口縁の近傍箇所に、前記接続端子に取りつけられた正極側接続線と負極側接続線のコード部分が巻き付けられる略Ｌ字形の巻付け用リブが突設されている。
請求項５に記載の発明は、前記各接続端子の略Ｖ字状の開設部の下側面に内側から外側に向けて複数条の凹凸条部が設けられている。
【発明の効果】
【００１３】
請求項１に記載の発明によれば、スピーカーの正極側接続線と負極側接続線とを片手で筐体の前部開口内に挿入して、接続端子の略Ｖ字状の開設部の奥部に片手で引っ掛けて簡単に接続することができ、迅速で確実に接続することができて、且つスプリングを必要とせずにコストダウンを図ることができる。また、略Ｖ字状の開設部が奥側になるにつれて拡がるように設けられているので、各接続線を前部開口から挿入し易く、この開設部の奥部に各接続線の半田付け部分を引っ掛け易い。
【００１４】
請求項２に記載の発明によれば、スピーカーの正極側接続線と負極側接続線とを片手で筐体の前部開口内に挿入して、接続端子の略Ｖ字状の開設部の奥部に片手で引っ掛けて簡単に接続することができ、迅速で確実に接続することができて、且つスプリングを必要とせずにコストダウンを図ることができる。
請求項３に記載の発明によれば、筐体状の取付部の開口に設けられたコード固定用片の切り欠き部分の内側に各接続線のコードの結び部が当接されることによって、各接続線を抜け止め固定することができる。
【００１５】
請求項４に記載の発明によれば、接続端子に取りつけられた各接続線のコード部分を筐体状の取付部の開口縁の近傍箇所の略Ｌ字形の巻付け用リブに巻き付けることによって、この接続線が抜けて不用意に外れることを防ぐことができる。
請求項５に記載の発明によれば、各接続端子の略Ｖ字状の開設部の下側麺の凹凸条部に各接続線の露出線が食い込むので、より一層強固に各接続線を接続端子に接続することができる。
【発明を実施するための最良の形態】
【００１６】
以下、本発明に係るスピーカーの接続線の接続構造の実施の形態について、図を参照しつつ説明する。
図１は本発明の第１実施形態のスピーカーの接続線の接続構造における各接続線を接続端子に接続する直前の状態を示す斜視図、図２は同構造における各接続線の露出線を筐体の前部開口の内側の各端子に接続した状態の斜視図、図３は同構造における筐体内に配置された接続端子に各接続線を接続した状態の要部の拡大斜視図である。
【００１７】
この第１実施形態のスピーカーの接続線の接続構造は、図１に示すように、アンプの筐体、スピーカーの筐体等の筐体１の前面に左右一対の前部開口２、２が設けられ、この前部開口２、２の内側の左側にそれぞれ接続端子３、３が配置されている。これらの接続端子３、３は、右端に向けて開く横向き略Ｖ字状に開設され且つ上側部分が奥側になるにつれて拡がるように設けられている（図３参照）。
これらの接続端子３、３には、スピーカー４の正極側接続線５と負極側接続線６の露出線５ａ、６ａが接続されるようになっている。更に、これらの各接続線５、６の露出線５ａ、６ａの先端は半田付けされている。
【００１８】
そして、図２に示すように、接続端子３、３の略Ｖ字状の開設部３ａ、３ａに、先端が半田付けされたスピーカー４の正極側接続線５の露出線５ａと負極側接続線６の露出線６ａとが奥側に向けて差し込まれる。更に、斜め左方に引っ張られることによって、正極側接続線５と負極側接続線６の露出線５ａ、６ａが接続端子３、３の略Ｖ字状の開設部３ａ、３ａの左奥側幅狭部分３ｂ、３ｂに入り込まれて露出線５ａ、６ａの半田付け部分５ｄ、６ｄｃが後奥側の開設部３ａ、３ａの縁部に当接されて、正極側接続線５と負極側接続線６とが各接続端子３、３に接続されるようになっている。
【００１９】
したがって、この第１実施形態によれば、スピーカー４の正極側接続線５と負極側接続線６とを片手で筐体の前部開口２、２内に挿入して、接続端子３、３の略Ｖ字状の開設部３ａ、３ａの奥部に片手で引っ掛けて簡単に接続することができ、迅速で確実に接続することができる。更に、且つスプリングを必要とせずにコストダウンを図ることができる。また、略Ｖ字状の開設部３ａ、３ａ、が奥側になるにつれて拡がるように設けられているので、各接続線５、６を前部開口２、２から挿入し易く、この開設部３ａ、３ａの奥部に各接続線５、６の露出線５ａ、６ａの半田付け部分５ｄ、６ｄを引っ掛け易い。
【００２０】
図４は第２実施形態のスピーカーの接続線の接続構造における各接続線を筐体の前部開口内の接続端子に接続する手順を示し、（ａ）はその各接続線を接続端子に接続する直前の状態の斜視図、（ｂ）はその各接続線の露出線を接続端子に接続して各接続線のコード部分の結び部を前部開口のコード固定用片の切り欠き部分に引っ掛けて抜け止めした状態の斜視図、（ｃ）は（ｂ）の状態の概略部分側面図である。
【００２１】
この第２実施形態のスピーカーの接続線の接続構造は、図４（ａ）（ｂ）（ｃ）に示すように、筐体１の前部開口２、２に、その一方側の縁部に前部開口２、２に沿ってコード固定用片１ａ、１ａが突設されていて、このコード固定用片１ａ、１ａには、露出線５ａ、５ｂが各接続端子３、３に接続される正極側接続線５と負極側接続線６とのコード部分５ｂ、６ｂがそれぞれ入り込む切り欠き１ｂ、１ｂが穿設されている。
そして、正極側接続線５と負極側接続線６の各コード部分５ｂ、６ｂの結び部５ｃ、６ｃが前部開口２、２内でコード固定用片１ａ、１ａに当接されて線全体が抜け止め固定されるようにしている。
【００２２】
したがって、この第２実施形態によれば、筐体１の前部開口２、２に設けられたコード固定用片１ａ、１ａの切り欠き１ｂ、１ｂの部分の内側に各接続線５、６のコード部分５ｂ、６ｂの結び部５ｃ、６ｃが当接されることによって、各接続線５、６を抜け止め固定することができる。
【００２３】
図５は第３実施形態のスピーカーの接続線の接続構造における筐体の前部開口の縁部の近傍箇所の略Ｌ字形の巻付け用リブに、接続端子に露出線を接続された各接続線のコード部分を巻き付けた状態の斜視図である。
この第３実施形態のスピーカーの接続線の接続構造は、図５に示すように、筐体１の前部開口２、２の開口縁の近傍箇所に、各接続端子３、３に取りつけられた正極側接続線５と負極側接続線６のコード部分５ｂ、６ｂが巻き付けられる略Ｌ字形の巻付け用リブ７、７が突設されている。そして、この巻付け用リブ７、７に各接続線５、６のコード部分５ｂ、６ｂを巻き付けるようにしている。
【００２４】
したがって、この第３実施形態によれば、接続端子３、３に取りつけられた各接続線５、６のコード部分５ｂ、６ｂを筐体１の前部開口２、２の開口縁の近傍箇所の略Ｌ字形の巻付け用リブ７、７に巻き付けることによって、各接続線５、６が抜けて不用意に外れることを防ぐことができる。
【００２５】
図６は第４実施形態のスピーカーの接続線の接続構造における筐体の前部開口の内側の接続端子の拡大斜視図である。
この第４実施形態のスピーカーの接続線の接続構造は、図６に示すように、各接続端子３、３の略Ｖ字状の開設部３ａ、３ａの下側面に内側から外側に向けて複数条の凹凸条部３ｃ、３ｃが設けられている。
したがって、この第４実施形態によれば、各接続端子３、３の略Ｖ字状の開設部３ａ、３ａの下側麺の凹凸条部３ｃ、３ｃに各接続線５、６の露出線５ａ、６ａが食い込むので、より一層強固に各接続線５、６を接続端子３、３に接続することができる。
【００２６】
尚、上記した各実施形態では、接続端子３、３が筐体１の前部開口２、２の内側の左側に位置するものについて説明したが、これに限らず、接続端子３、２が筐体１の前部開口２、２の内側の右側に位置し、その横向き略Ｖ字形の開設部３ａ、３ａが左端に向けて開いていてもよいことは勿論である。
【図面の簡単な説明】
【００２７】
【図１】本発明の第１実施形態のスピーカーの接続線の接続構造における各接続線を接続端子に接続する直前の状態を示す斜視図である。
【図２】同構造における各接続線の露出線を筐体の前部開口の内側の各端子に接続した状態の斜視図である。
【図３】同構造における筐体内に配置された接続端子に各接続線を接続した状態の要部の拡大斜視図である。
【図４】第２実施形態のスピーカーの接続線の接続構造における各接続線を筐体の前部開口内の接続端子に接続する手順を示し、（ａ）はその各接続線を接続端子に接続する直前の状態の斜視図、（ｂ）はその各接続線の露出線を接続端子に接続して各接続線のコード部分の結び部を前部開口のコード固定用片の切り欠き部分に引っ掛けて抜け止めした状態の斜視図、（ｃ）は（ｂ）の状態の概略部分側面図である。
【図５】第３実施形態のスピーカーの接続線の接続構造における筐体の前部開口の縁部の近傍箇所の略Ｌ字形の巻付け用リブに、接続端子に露出線を接続された各接続線のコード部分を巻き付けた状態の斜視図である。
【図６】第４実施形態のスピーカーの接続線の接続構造における筐体の前部開口の内側の接続端子の拡大斜視図である。
【図７】従来のスピーカーの接続線の接続構造における各接続線を接続端子に接続した状態を示す斜視図である。
【図８】従来の圧接端子金具の一部切り欠き斜視図である。
【図９】同金具に被覆電線を圧接する状態を示し、（ａ）はその圧接前の状態を示す横断面図、（ｂ）はその圧接完了時の横断面図である。
【図１０】従来のスピーカ入力端子を示し、（ａ）はその平面図、（ｂ）はそのＡ−Ａ線から半断面した状態の正面図である。
【図１１】従来の端子金具の斜視図である。
【図１２】同端子金具の取付状態を示し、（ａ）はその斜視図、（ｂ）はその横断面図である。
【符号の説明】
【００２８】
１                筐体
１ａ              コード固定用片
１ｂ              切り欠き
２                前部開口
３                接続端子
３ａ              開設部
３ｂ              左奥側幅狭部分
４                スピーカー
５                正極側接続線
５ａ              露出線
５ｂ              コード部分
５ｃ              結び部
５ｄ              半田付け部分
６                負極側接続線
６ａ              露出線
６ｂ              コード部分
６ｃ              結び部
６ｄ              半田付け部分
７                巻付け用リブ
【図１】
2005135675.tif 000003
【図２】
2005135675.tif 000004
【図３】
2005135675.tif 000005
【図４】
2005135675.tif 000006
【図５】
2005135675.tif 000007
【図６】
2005135675.tif 000008
【図７】
2005135675.tif 000009
【図８】
2005135675.tif 000010
【図９】
2005135675.tif 000011
【図１０】
2005135675.tif 000012
【図１１】
2005135675.tif 000013
【図１２】
2005135675.tif 000014